(57)【要約】
【課題】　専門の技術を必要とせず、簡単、且つ、手軽に角質を除去することができ、安全・衛生的で安価な角質除去棒の提供。
【解決手段】　中心軸に沿って管路１７を有する棒体１の後端に接続管１３を設け、接続管１３に剥落した角質を吸い出す吸気ポンプを接続し、棒体１の前端面に凹部１４を形成し、ヘッド部２の後端部に設けた嵌入部２１を凹部１４に抜挿可能に嵌合し、ヘッド部２の中心軸に沿って、前端側が径大で、棒体１へ装着した時に管路１７と連通するテーパ孔２２を穿設し、ヘッド部２の前端面に研磨面２３を形成する。
【選択図】　　　　　図３
0003100304.tif 000002
【実用新案登録請求の範囲】
【請求項１】
　中心軸に沿って管路を有する棒体と、該棒体の前端に着脱自在に装着されたヘッド部とを備え、前記棒体の後端に接続管を設けると共に、該接続管に剥落した角質を吸い出す吸気ポンプを接続し、前記棒体の前端面に凹部を形成し、該凹部の内周面に環状溝を設けると共に、該環状溝内に固定リングを設置し、前記ヘッド部の後端部に設けた嵌入部を前記凹部に嵌合して固定リングで着脱自在に固定し、前記ヘッド部の中心軸に沿って、前端側が径大で、前記棒体へ装着した時に前記管路と連通するテーパ孔を穿設し、前記ヘッド部の前端面において前記テーパ孔の周囲に研磨面を形成したことを特徴とする角質除去棒。
【請求項２】
　前記棒体の前端部寄り外周に、内側へ陥没した握り部を形成した請求項１に記載の角質除去棒。
【請求項３】
　前記凹部の底面中央部に低段部を形成し、該低段部内に、剥落した角質を濾過する濾過材を、前記棒体の管路及び前記ヘッド部のテーパ孔を遮るように着脱自在に設置した請求項１又は２に記載の角質除去棒。
【請求項４】
　前記研磨面が、多数の微粒子を付着して成る請求項１乃至３のいずれかに記載の角質除去棒。
【考案の詳細な説明】
【技術分野】
【０００１】
　本考案は、皮膚の角質を除去するのに用いる角質除去棒に関する。
【背景技術】
【０００２】
　従来、皮膚の角質化した部分を除去するには、角質に作用して軟化させる成分を含有した基礎化粧品を塗布するか、或いは、専門のエステシャンが専門の美容器具を用いて除去していた。
　しかし、基礎化粧品で角質を除去するには非常に長い時間がかかり、辛抱強く手入れを継続しなければ効果があがらない。また、専門家に依頼すると、莫大な費用がかかり、経済的な負担が大きい。
【考案の開示】
【考案が解決しようとする課題】
【０００３】
　本考案が解決しようとする課題は、専門の技術を必要とせず、簡単、且つ、手軽に角質を除去することができ、安全・衛生的で安価な角質除去棒を提供することにある。
【課題を解決するための手段】
【０００４】
　本考案の角質除去棒は、中心軸に沿って管路を有する棒体と、該棒体の前端に着脱自在に装着されたヘッド部とを備え、前記棒体の後端に接続管を設けると共に、該接続管に剥落した角質を吸い出す吸気ポンプを接続し、前記棒体の前端面に凹部を形成し、該凹部の内周面に環状溝を設けると共に、該環状溝内に固定リングを設置し、前記ヘッド部の後端部に設けた嵌入部を前記凹部に嵌合して固定リングで着脱自在に固定し、前記ヘッド部の中心軸に沿って、前端側が径大で、前記棒体へ装着した時に前記管路と連通するテーパ孔を穿設し、前記ヘッド部の前端面において前記テーパ孔の周囲に研磨面を形成する。
【０００５】
　棒体の前端部寄り外周に、内側へ陥没した握り部を形成しても良い。
　凹部の底面中央部に低段部を形成し、該低段部内に、剥落した角質を濾過する濾過材を、前記棒体の管路及びヘッド部のテーパ孔を遮るように着脱自在に設置すると良い。
　前記研磨面は、多数の微粒子を付着して形成することがある。
【考案の効果】
【０００６】
　本考案によれば、研磨面を有するヘッド部を棒体に対して着脱自在に取り付けたので、研磨面で皮膚の角質層を擦るだけで、簡単に且つ安価に角質を除去することが可能であり、ヘッド部を取り外して容易に交換及び洗浄・消毒を簡単に行うことができ、剥落した角質は、ヘッド部のテーパ孔へ迅速に吸い取ることができて、衛生的である。
　また、管路及びテーパ孔を遮るように着脱自在な濾過材を設けると、剥落した角質を濾過して濾過材中に集め、濾過材を取り出して洗浄することにより、角質除去棒を清潔に保つことができ、いっそう衛生的である。
【考案を実施するための最良の形態】
【０００７】
　以下、本考案の実施例を図面に基づいて詳細に説明する。
【実施例１】
【０００８】
　図１乃至図４は、本考案の実施例１を示す。
　角質除去棒は、中心軸に沿って管路１７を有する棒体１と、棒体１の前端に着脱自在に装着されたヘッド部２とを備える。
　図１に示すように、棒体１の前端部には筒部１１が設けられ、筒部１１に連続して棒体１の外周には、内側へ陥没した握り部１２が形成される。また、棒体１の径は、握り部１２に隣接した部分から後端に向かって次第に細くなっている。
　さらに、棒体１の後端には、細径の接続管１３が中心軸に沿って一体に設けられ、この接続管１３に図示しない吸気ポンプが接続されるようになっている。
　図２及び図３に示すように、筒部１１の前端面には断面円形の凹部１４が形成され、凹部１４の内周面には環状溝１５が形成される。また、環状溝１５内には、ヘッド部２を固定するための固定リング１６が設置される。固定リング１６は金属製とするのが望ましい。
【０００９】
　ヘッド部２は略円筒形をなし、その後端部には、棒体１の筒部１１の凹部１４内へ抜挿可能に挿入される嵌入部２１が中心軸に沿って形成される。そして、嵌入部２１を凹部１４にはめ込んで固定リング１６で着脱自在に固定することにより、ヘッド部２が棒体１の前端に装着される。
　また、ヘッド部２には、前端側に近づくに従って径が大きくなるテーパ孔２２が、中心軸に沿って穿設され、ヘッド部２を棒体１の先端部に装着すると、テーパ孔２２が棒体１の管路１７と連通するようになっている。
　さらに、ヘッド部２の先端面には、テーパ孔２２を囲むように研磨面２３が形成される。研磨面２３は、金剛砂等の多数の微粒子を付着するなどして、細かい凹凸を形成して成る。
【００１０】
　この角質除去棒を用いるときは、接続管１３に吸気ポンプを接続し、図４に示すように、棒体１の握り部１２を親指と人差し指で挟み、ヘッド部２の研磨面２３を皮膚の角質層に当接して移動させる。
　すると、皮膚の角質層が研磨面２３で削り取られ、剥落した角質は、ヘッド部２のテーパ孔２２及び棒体１の管路１７を通って、吸気ポンプにより迅速に吸い出される。
　角質をこすり取って汚れたヘッド部２は、棒体１から外して洗浄・消毒することができる。
【実施例２】
【００１１】
　図５は、本考案の実施例２を示す。
　棒体１の凹部１４の底面中央部に、凹部１４よりも径小の低段部３を形成し、該低段部３内にスポンジ等の濾過材４を、棒体１の管路１７及びヘッド部２のテーパ孔２２を遮るように設置してある。
　この結果、研磨面２３でこすり取られた角質は、吸気ポンプの作用によりテーパ孔２２から吸引され、管路１７を遮る濾過材４で濾過される。
　そして、角質が付着した濾過材４は、ヘッド部２を取り外して消毒する際に、同時に低段部３から取り出して洗浄し、安全且つ衛生的に使用することができる。
　その他の構成及び使用方法は、実施例１とほぼ同様なので、同一部分に同一符号を付して、説明を省略する。
【図面の簡単な説明】
【００１２】
【図１】実施例１を示す角質除去棒の斜視図。
【図２】実施例１を示す角質除去棒の分解斜視図。
【図３】実施例１を示す角質除去棒の断面図。
【図４】角質除去棒の使用状態を示す斜視図。
【図５】実施例２を示す角質除去棒の断面図。
【符号の説明】
【００１３】
　１　棒体
　１１　筒部
　１２　握り部
　１３　接続管
　１４　凹部
　１５　環状溝
　１６　固定リング
　１７　管路
　２　ヘッド部
　２１　嵌入部
　２２　テーパ孔
　２３　研磨面
　３　低段部
　４　濾過材
【図１】
0003100304.tif 000003
【図２】
0003100304.tif 000004
【図３】
0003100304.tif 000005
【図４】
0003100304.tif 000006
【図５】
0003100304.tif 000007